(57)【要約】  パンツ型吸収性物品（１）は腹側部（２Ａ）と背側部（２Ｂ）と吸収性本体（３）とを具備する。腹側部（２Ａ）及び背側部（２Ｂ）はそれぞれ、吸収性本体（３）の各側縁よりも幅方向（Ｙ）の外方へ延出したサイドパネル（２９Ａ，２９Ｂ）を有する。サイドパネル（２９Ａ，２９Ｂ）は外側シート（２２）及び内側シート（２３）を備えた複合シートを有する。複合シートは幅方向（Ｙ）に伸縮可能になっているとともに、長手方向（Ｘ）に延びる襞部（２９ａ，２９ｂ）を幅方向（Ｙ）にわたり複数列有する。サイドパネル（２９Ａ，２９Ｂ）においては、長手方向（Ｘ）に延びる襞部が、長手方向（Ｘ）における所定の位置において幅方向（Ｙ）にずれている。
2019043885.tif 000002
【特許請求の範囲】
【請求項１】
着用者の腹側に配される腹側部と、着用者の背側に配される背側部と、吸収性本体とを具備し、該腹側部と該背側部の両側縁部に、該腹側部と該背側部とが接合されて形成された一対のサイドシール部を有するパンツ型吸収性物品であって、
前記腹側部及び前記背側部はそれぞれ、前記吸収性本体の各側縁上を通る長手方向に延びる仮想線よりも幅方向外方へ延出したサイドパネルを有し、
前記サイドパネルは外側シート及び内側シートを備えた複合シートを有し、該複合シートは幅方向に伸縮可能になっているとともに、長手方向に延びる襞部を幅方向に複数列有し、
前記腹側部及び前記背側部の少なくとも一方の前記サイドパネルにおいては、長手方向に延びる複数列の前記襞部のうちの少なくとも一部が、長手方向における所定の位置において幅方向にずれている、パンツ型吸収性物品。
【請求項２】
前記サイドパネルは、その長手方向に沿って、前記物品のウエスト開口部を含むウエスト領域と、股下部側に位置する股下領域と、両領域間に位置する中間領域とに区分され、
前記腹側部及び前記背側部の少なくとも一方の前記サイドパネルにおいて、長手方向に延びる複数列の前記襞部のうちの少なくとも一部が、前記中間領域において幅方向にずれている、請求項１に記載のパンツ型吸収性物品。
【請求項３】
前記襞部が幅方向へずれている前記位置が、前記サイドシール部の長手方向の長さに対して、該サイドシール部の下端から１５％以上８５％以下の範囲にある請求項１又は２に記載のパンツ型吸収性物品。
【請求項４】
前記サイドパネルはその幅方向の全域にわたって前記襞部を有し、
前記サイドパネルの幅方向の全域にわたって、前記位置において前記襞部が幅方向へずれている請求項１ないし３のいずれか一項に記載のパンツ型吸収性物品。
【請求項５】
前記襞部が幅方向へずれている前記位置を境に、該位置よりもウエスト開口部側に位置する襞部のピッチと、該位置よりも股下部側に位置する襞部のピッチとが同じになっている請求項１ないし４のいずれか一項に記載のパンツ型吸収性物品。
【請求項６】
前記サイドパネルは、その幅方向にわたって、前記襞部が形成されていない襞部非形成帯を有し、
前記襞部非形成帯を境に、それよりもウエスト開口部側に位置する襞部に対して、それよりも股下部側に位置する襞部が幅方向にずれている請求項１ないし５のいずれか一項に記載のパンツ型吸収性物品。
【請求項７】
前記襞部非形成帯の長手方向の長さが、前記サイドシール部の長手方向の長さに対して３％以上５０％以下である請求項６に記載のパンツ型吸収性物品。
【請求項８】
前記サイドパネルは、前記襞部非形成帯以外の領域において、該サイドパネルを構成する前記外側シートと前記内側シートとの間に、幅方向に延びる複数本の弾性部材を有する請求項６又は７に記載のパンツ型吸収性物品。
【請求項９】
前記サイドパネルが、前記外側シートと、前記内側シートと、両シート間に配された幅方向に延びる複数本の弾性部材とを備え、
前記外側シート及び前記内側シートは、前記サイドパネルの幅方向に沿って間欠的に形成された接合部において接合されており、
前記外側シート及び前記内側シートそれぞれが、複数本の前記弾性部材にわたって連続して延びる複数列の前記襞部を形成している請求項１ないし８のいずれか一項に記載のパンツ型吸収性物品。
【請求項１０】
前記外側シート及び前記内側シートは、前記サイドパネルの長手方向及び幅方向に沿って間欠的に形成された接合部において接合されており、
前記弾性部材は、前記接合部を通らないように伸長状態で配されており且つその両端部において両シートに固定されているとともに該両端部間の領域において前記外側シート及び前記内側シートのいずれにも非接合状態になっている請求項１ないし９のいずれか一項に記載のパンツ型吸収性物品。
【請求項１１】
前記外側シートが外方に向けて膨らむように変形し、且つ、前記内側シートが着用者の身体側に向けて膨らむように変形して、該外側シート及び該内側シートからなる襞部がそれぞれ生じており、
前記外側シートと前記内側シートとの間に、前記襞部に周囲を囲まれた中空部が形成されている請求項１０に記載のパンツ型吸収性物品。
【請求項１２】
前記腹側部のサイドパネルにおける前記襞部の幅方向に沿うずれの程度を１ｍｍ以上２０ｍｍ以下に設定する請求項１ないし１１のいずれか一項に記載のパンツ型吸収性物品。
【請求項１３】
前記背側部のサイドパネルにおける前記襞部の幅方向に沿うずれの程度を１ｍｍ以上２０ｍｍ以下に設定する請求項１ないし１２のいずれか一項に記載のパンツ型吸収性物品。
【請求項１４】
前記サイドパネルは、その長手方向に沿って、前記物品のウエスト開口部を含むウエスト領域と、股下部側に位置する股下領域と、両領域間に位置する中間領域とに区分され、
前記腹側部及び前記背側部の前記サイドパネルにおいて、長手方向に延びる複数列の前記襞部のうちの少なくとも一部が、前記中間領域において幅方向にずれている、請求項１ないし１３のいずれか一項に記載のパンツ型吸収性物品。
【請求項１５】
前記腹側部のサイドパネルにおける前記襞部が幅方向へずれている前記位置である境界Ｐ、及び前記背側部のサイドパネルにおける前記襞部が幅方向へずれている前記位置である境界Ｑは、それぞれ独立に、前記サイドシール部の長手方向の長さに対して、該サイドシール部の下端から１５％以上離れており、
前記境界Ｐ，Ｑは、それぞれ独立に、前記サイドシール部の下端から８５％以内である請求項１ないし１４のいずれか一項に記載のパンツ型吸収性物品。
【請求項１６】
境界Ｑの位置が、境界Ｐの位置よりも股下部側にある請求項１５に記載のパンツ型吸収性物品。
【請求項１７】
前記腹側部の前記サイドパネルと前記背側部の前記サイドパネルとで、前記襞部が幅方向にずれている位置が、前記物品の装着状態で同じになるようになされている請求項１ないし１５のいずれか一項に記載のパンツ型吸収性物品。
【請求項１８】
前記腹側部を構成する腹側シート部材及び前記背側部を構成する背側シート部材を有しており、
前記背側シート部材の方が、前記腹側シート部材よりも、長手方向の長さが長くなっている請求項１ないし１７のいずれか一項に記載のパンツ型吸収性物品。
【請求項１９】
前記外側シート及び前記内側シートはそれぞれ独立に非伸縮性シートからなる請求項１ないし１８のいずれか一項に記載のパンツ型吸収性物品。
【請求項２０】
前記外側シート及び前記内側シートのうちのいずれか一方が伸縮性シートからなる請求項１ないし１９のいずれか一項に記載のパンツ型吸収性物品。
【請求項２１】
前記外側シートが伸縮性シートからなり、前記内側シートが非伸縮性シートからなる請求項１ないし２０のいずれか一項に記載のパンツ型吸収性物品。
【請求項２２】
長手方向にわたる前記襞部の連続性が途切れる位置が複数箇所である請求項１ないし２１のいずれか一項に記載のパンツ型吸収性物品。
【請求項２３】
前記腹側サイドパネルにおいては、境界Ｐ１及びＰ２を境にその上下で長手方向にわたる前記襞部の連続性が途切れており、
前記背側サイドパネルにおいては、境界Ｑ１及びＱ２を境にその上下で長手方向にわたる前記襞部の連続性が途切れており、
境界Ｐ１と境界Ｐ２との間に位置する前記襞部の長手方向に沿う長さ、及び境界Ｑ１と境界Ｑ２との間に位置する前記襞部の長手方向に沿う長さは、それぞれ独立に、前記サイドシール部の長さに対して５％以上６０％以下である請求項２２に記載のパンツ型吸収性物品。
【発明の詳細な説明】
【技術分野】
【０００１】
本発明はパンツ型吸収性物品に関する。
【背景技術】
【０００２】
パンツ型使い捨ておむつ等のパンツ型吸収性物品においては、着用者の身体へのフィット性を高める目的で、ウエスト周り及びそれよりも下方の領域にわたり幅方向への伸縮性を付与する場合がある。伸縮性を付与するためには一般に、伸縮性を付与したい部位を構成するシートに、複数本の弾性部材を幅方向に延びるように伸長状態で固定することが行われている。弾性部材のこのような固定によってシートには縦方向に延びる複数本の襞部が幅方向にわたって形成される。例えば本出願人は先に、おむつの外面をなす外側シートと、該外側シートの内面に配された内側シートと、該外側シートと該内側シートとの間に横方向に伸長状態で配された複数本の糸状の弾性部材とを備えた外装体を有し、該外装体が、外側シート及び内側シートを複数の接合部により互いに接合し、接合部を通らないように弾性部材を配することによって、複数本の弾性部材にわたって縦方向に連続して延びる複数本の襞部を有しているパンツ型使い捨ておむつを提案した（特許文献１参照）。
【先行技術文献】
【特許文献】
【０００３】
【特許文献１】特開２００８−１３１９６８号公報
【発明の概要】
【０００４】
本発明は、着用者の腹側に配される腹側部と、着用者の背側に配される背側部と、吸収性本体とを具備し、該腹側部と該背側部の両側縁部に、該腹側部と該背側部とが接合されて形成された一対のサイドシール部を有するパンツ型吸収性物品を提供するものである。
前記腹側部及び前記背側部はそれぞれ、前記吸収性本体の各側縁よりも幅方向外方へ延出したサイドパネルを有する。
前記サイドパネルは外側シート及び内側シートを備えた複合シートを有し、該複合シートは幅方向に伸縮可能になっているとともに、長手方向に延びる襞部を幅方向に複数列有している。
前記腹側部及び前記背側部の少なくとも一方の前記サイドパネルにおいては、長手方向に延びる複数列の前記襞部のうちの少なくとも一部が、長手方向における所定の位置において幅方向にずれている。
【図面の簡単な説明】
【０００５】
【図１】図１は、本発明のパンツ型吸収性物品の一実施形態であるパンツ型使い捨ておむつを示す斜視図である。
【図２】図２は、図１に示すおむつを展開して引き伸ばした状態を肌当接面側から見た平面図である。
【図３】図３は、図２に示すIII―III線断面図である。
【図４】図４は、図２に示すIV―IV線断面図である。
【図５】図５は、図１に示すおむつを、サイドシール部を中心として平らに引き伸ばした状態の要部を示す平面図である。
【図６】図６は、図１に示すおむつにおける腹側サイドパネルの要部を示す一部破断斜視図である。
【図７】図７は、図１に示すおむつの着用状態を示す模式図である。
【図８】図８は、本発明の別の実施形態のおむつを、サイドシール部を中心として平らに引き伸ばした状態の要部を示す平面図（図５相当図）である。
【図９】図９は、本発明の別の実施形態のおむつを、サイドシール部を中心として平らに引き伸ばした状態の要部を示す平面図（図５相当図）である。
【図１０】図１０は、本発明の更に別の実施形態のおむつを、サイドシール部を中心として平らに引き伸ばした状態の要部を示す平面図（図５相当図）である。
【図１１】図１１は、本発明の更に別の実施形態のおむつを、サイドシール部を中心として平らに引き伸ばした状態の要部を示す平面図（図５相当図）である。
【図１２】図１２は、本発明のまた更に別の実施形態のおむつを、サイドシール部を中心として平らに引き伸ばした状態の要部を示す平面図（図５相当図）である。
【図１３】図１３は、本発明のまた更に別の実施形態のおむつを、サイドシール部を中心として平らに引き伸ばした状態の要部を示す平面図（図５相当図）である。
【発明を実施するための形態】
【０００６】
パンツ型吸収性物品を着用する着用者の身体、特に乳幼児の身体は、腰から臀部にかけて膨らみを持つ一方、腹部から下腹部にかけて湾曲しているという複雑な形状をしている。しかし現在工業的に生産されているパンツ型吸収性物品は一般に略円筒形の形状をしているので、その装着状態において着用者の身体にフィットさせようとすると、前記の襞部に歪みが生じて逆にフィット性が低下したり、装着感が悪化したりするおそれがある。したがって、本発明は、そのような不都合が解消されたパンツ型吸収性物品を提供することを課題とする。
【０００７】
以下本発明を、その好ましい実施形態に基づき図面を参照しながら説明する。図１及び図２には、本発明のパンツ型吸収性物品の一実施形態であるパンツ型使い捨ておむつ１が示されている。おむつ１は、着用状態において着用者の腹側に配される腹側部Ａと、着用者の背側に配される背側部Ｂとを具備している。腹側部Ａ及び背側部Ｂは、両者間に位置する股下部Ｃから長手方向Ｘの前後方向に延びる部位である。おむつ１は更に吸収性本体３を具備している。吸収性本体３はおむつ１の腹側部Ａから背側部Ｂに向かう長手方向Ｘ及びこれに直交する幅方向Ｙを有する略矩形形状のものであり、吸収性本体３の長手方向Ｘは、おむつ１の長手方向Ｘと一致している。
【０００８】
おむつ１は、腹側部Ａを構成する腹側シート部材２Ａ及び背側部Ｂを構成する背側シート部材２Ｂを有している。先に述べた吸収性本体３は、腹側シート部材２Ａと背側シート部材２Ｂとの間に架け渡してこれらのシート部材２Ａ，２Ｂに固定されている。おむつ１は、腹側部Ａを構成する腹側シート部材２Ａの両側縁２ａ１，２ａ１を含む側部域と、背側部Ｂを構成する背側シート部材２Ｂの両側縁２ｂ１，２ｂ１を含む側部域とが接合されて形成された一対のサイドシール部Ｓ，Ｓを有している。更におむつ１は、ウエスト開口部ＷＯ及び一対のレッグ開口部ＬＯ，ＬＯを有している。
【０００９】
吸収性本体３は、図２及び図３に示すとおり、液透過性の表面シート３１、液不透過性又は撥水性の裏面シート３２、及び両シート３１，３２間に介在配置された液保持性の吸収体３３を有している。吸収体３３は、パルプ繊維や不織布等の繊維の集合体からなる吸収性コア３３１又はこれに吸水性ポリマーの粒子を保持させてなる吸収性コア３３１と、該吸収性コア３３１を被覆するコアラップシート３３２を有している。
【００１０】
図２及び図３に示すとおり、吸収性本体３の幅方向Ｙの両側部には、長手方向Ｘに延びる防漏カフ３４，３４が配置されている。防漏カフ３４は、液抵抗性ないし撥水性で且つ通気性のシート部材から構成されている。各防漏カフ３４の自由端の近傍には、防漏カフ弾性部材３５が伸長状態で配されている。おむつ１の着用状態においては、防漏カフ弾性部材３５が収縮することによって防漏カフ３４が着用者の身体へ向けて起立するようになっている。それによって、吸収性本体３の側縁から外方への液の流出が効果的に阻止される。
【００１１】
図３に示すとおり、吸収性本体３は、その股下部Ｃにおける該吸収性本体３の非肌対向面側に、裏面シート３２に重ねてアウターシート３６が配置されている。アウターシート３６は、裏面シート３２の強度を補強する目的又はおむつ１の肌触りを向上させる目的で用いられる。この目的のためにアウターシート３６として例えば不織布やフィルム等を用いることができる。
【００１２】
吸収性本体３は、各防漏カフ３４よりも幅方向Ｙの外方の位置に、長手方向Ｘに沿って延びるレッグカフ３７，３７を有している。レッグカフ３７の自由端には、長手方向Ｘに延びるレッグカフ弾性部材３８が伸長状態で取り付けられている。レッグカフ３７は、おむつ１の着用状態において、着用者の脚周りにフィットするようになっている。
【００１３】
図２及び図４に示すとおり、吸収性本体３は、長手方向Ｘの一端側において背側シート部材２Ｂと重なっている。重なり部分において両者は接着剤３９を介して固定されている。同様に吸収性本体３は、長手方向Ｘの他端側において腹側シート部材２Ａと重なっており、重なり部分において両者は接着剤（図示せず）を介して固定されている。
【００１４】
図２に示すとおり、腹側シート部材２Ａ及び背側シート部材２Ｂはいずれも略矩形をしている。これらの部材２Ａ，２Ｂは幅方向Ｙの長さは略同一であり、長手方向Ｘの長さは、背側シート部材２Ｂの方が腹側シート部材２Ａよりも長くなっている。そして、両シート部材２Ａ，２Ｂは、それらの両側縁２ａ１，２ｂ１の上端部を一致させた状態下に両側部域を接合してサイドシール部Ｓを形成している。したがって、長手方向Ｘに沿うサイドシール部Ｓの長さは、長手方向Ｘに沿う腹側シート部材２Ａの長さと一致している。一方、背側シート部材２Ｂについては、これを長手方向Ｘに沿って見たとき、サイドシール部Ｓが形成されている領域と、サイドシール部Ｓよりも股下部Ｃ側に向けて延出した領域とに区分される。以下の説明においては、背側シート部材２Ｂを長手方向Ｘに沿ってみたとき、サイドシール部Ｓが形成されている領域のことと背側本体部２０ｂと呼び、サイドシール部Ｓよりも下方に延出した領域のことを背側延出部２１ｂと呼ぶ。背側延出部２１ｂのうち、吸収性本体３の側縁よりも幅方向Ｙの外方に位置する部位は、おむつ１の着用状態において、着用者の臀部を被覆する臀部カバー部となる。
【００１５】
おむつ１の腹側部Ａ及び背側部Ｂはそれぞれ、吸収性本体３の各側縁３ａ上を通る長手方向に延びる仮想線３ｂよりも幅方向Ｙの外方へ延出した腹側サイドパネル２９Ａ及び背側サイドパネル２９Ｂを有している。腹側サイドパネル２９Ａは、幅方向Ｙに関しては、腹側シート部材２Ａの側縁２ａ１と、吸収性本体３の側縁３ａとの間にわたっている。長手方向Ｘに関しては、腹側シート部材２Ａの一方の端縁２ａ２と、他方の端縁２ａ３との間にわたっている。一方、背側サイドパネル２９Ｂは、幅方向Ｙに関しては、背側シート部材２Ｂの側縁２ｂ１と、吸収性本体３の側縁３ａとの間にわたっている。長手方向Ｘに関しては、背側シート部材２Ｂにおけるウエスト開口部側の端縁２ｂ２から、背側本体部２０ｂと背側延出部２１ｂとの境界までの間にわたっている。
【００１６】
腹側サイドパネル２９Ａ及び背側サイドパネル２９Ｂはそれぞれ腹側シート部材２Ａ及び背側シート部材２Ｂの一部を構成している。腹側サイドパネル２９Ａを含む腹側シート部材２Ａは、おむつの外面をなす外側シート２２と、外側シート２２の内面側に配された内側シート２３とを備えた複合シートを有している。同様に背側サイドパネル２９Ｂを含む背側シート部材２Ｂも、おむつの外面をなす外側シート２２と、外側シート２２の内面側に配された内側シート２３とを備えた複合シートを有している。外側シート２２及び内側シート２３はそれぞれ独立に、例えば非伸縮性シートを用いることができる。また外側シート２２及び内側シート２３のうちのいずれか一方に伸縮性シートを用いることもできる。例えば、外側シート２２に伸縮性シートを用い、内側シート２３に非伸縮性シートを用いた場合には、内側シート２３のみに襞部が形成するので、フィット性及び通気性が向上するという利点がある。外側シート２２及び内側シート２３の双方が伸縮性シートである場合には、伸長率が互いに異なるものであればよい。
【００１７】
腹側サイドパネル２９Ａ及び背側サイドパネル２９Ｂを構成する前記の複合シートは、外側シート２２と内側シート２３の間に配された、幅方向Ｙに沿って延びる複数本の弾性部材２４を備えている。各弾性部材２４は伸長状態で固定されている。それによって腹側サイドパネル２９Ａ及び背側サイドパネル２９Ｂを含む複合シートは幅方向Ｙに伸縮可能になっている。ただし弾性部材２４のうち、吸収性本体３と重なる部位２４ａは、伸縮性が発現しないような加工が施されている。そのような加工としては、例えば当該部位２４ａにおいて弾性部材２４を細かく切断する加工などが挙げられるが、これに限られない。
【００１８】
図２及び図５に示すとおり、腹側サイドパネル２９Ａにおいては、外側シート２２及び内側シート２３は、該サイドパネル２９Ａの長手方向Ｘ及び幅方向Ｙに沿って間欠的に形成された接合部２５，２７において接合されている。弾性部材２４は、接合部２５，２７を通らないように配されている。また弾性部材２４は、幅方向Ｙの両端部間の領域において外側シート２２及び内側シート２３のいずれにも非接合状態になっており、幅方向Ｙの両端部においてのみ外側シート２２及び内側シート２３と固定されている。なお図５は、図１に示すおむつ１を、サイドシール部Ｓを中心として平らに引き伸ばした状態の要部を示す平面図である。
【００１９】
同様に、背側サイドパネル２９Ｂにおいても、外側シート２２及び内側シート２３は、該サイドパネル２９Ｂの長手方向Ｘ及び幅方向Ｙに沿って間欠的に形成された接合部２６，２８において接合されている。弾性部材２４は、接合部，２８を通らないように配されている。また弾性部材２４は、幅方向Ｙの両端部間の領域において外側シート２２及び内側シート２３のいずれにも非接合状態になっており、幅方向Ｙの両端部においてのみ外側シート２２及び内側シート２３と固定されている。
【００２０】
上述の接合部２５，２７及び接合部２６，２８は、例えばホットメルト接着剤等の各種接着剤やヒートシール等の融着によって形成することができる。ホットメルト接着剤を用いる場合にはストライプコーターによる塗工が好ましいが、サミット又はスパイラルなどを長手方向Ｘに沿って塗工してもよい。一方、ヒートシールの場合、接合部は連続していてもよいが、各サイドパネル２９Ａ，２９Ｂの柔らかさを維持し、また通気性を向上させる観点から、長手方向Ｘに沿って間欠的に接合部を設けることが好ましい。
【００２１】
腹側サイドパネル２９Ａに形成された接合部２５は、複数の該接合部２５が、腹側サイドパネル２９Ａの長手方向Ｘに沿って直線状の接合部列２５Ｌをなすように配置されている。接合部列２５Ｌは、腹側サイドパネル２９Ａの幅方向Ｙにわたって間隔を置いて複数列形成されている。同様に、接合部２７も、複数の該接合部２７が、腹側サイドパネル２９Ａの長手方向Ｘに沿って直線状の接合部列２７Ｌをなすように配置されている。接合部列２７Ｌは、腹側サイドパネル２９Ａの幅方向Ｙにわたって間隔を置いて複数列形成されている。
【００２２】
一方、背側サイドパネル２９Ｂに形成された接合部２６は、複数の該接合部２６が、背側サイドパネル２９Ｂの長手方向Ｘに沿って直線状の接合部列２６Ｌをなすように配置されている。接合部列２６Ｌは、背側サイドパネル２９Ｂの幅方向Ｙにわたって間隔を置いて複数列形成されている。同様に、接合部２８も、複数の該接合部２８が、背側サイドパネル２９Ｂの長手方向Ｘに沿って直線状の接合部列２８Ｌをなすように配置されている。接合部列２８Ｌは、背側サイドパネル２９Ｂの幅方向Ｙにわたって間隔を置いて複数列形成されている。
【００２３】
腹側サイドパネル２９Ａにおいては、伸長状態で配された弾性部材２４が、おむつ１の弛緩状態、すなわち自然状態において収縮することによって、図６に示すとおり、幅方向Ｙに隣接する接合部列２５Ｌ，２５Ｌどうしの間の外側シート２２が外方に向けて膨らむように変形し、且つ、内側シート２３が着用者の身体側に向けて膨らむように変形する。そして、隣接する接合部列２５Ｌ，２５Ｌどうしの間に、外側シート２２及び内側シート２３からなる襞部２９ａ，２９ａが生じる。換言すれば、外側シート２２及び内側シート２３それぞれが、複数本の弾性部材２４にわたって連続して延びる複数列の襞部２９ａを形成している。また外側シート２２と内側シート２３との間には、襞部２９ａと襞部２９ａとに周囲を囲まれた中空部２Ｈが形成される。襞部２９ａ及び中空部２Ｈは、サイドパネル２９Ａの長手方向Ｘに沿って延びている。
【００２４】
同様に、図６に示すとおり、幅方向Ｙに隣接する接合部列２７Ｌ，２７Ｌどうしの間の外側シート２２が外方に向けて膨らむように変形し、且つ、内側シート２３が着用者の身体側に向けて膨らむように変形する。そして、隣接する接合部列２７Ｌ，２７Ｌどうしの間に、外側シート２２及び内側シート２３からなる襞部２９ｂ，２９ｂが生じる。また外側シート２２と内側シート２３との間には、襞部２９ｂと襞部２９ｂとに周囲を囲まれた中空部（図示せず）が形成される。襞部２９ｂ及び中空部（図示せず）は、サイドパネル２９Ａの長手方向Ｘに沿って延びている。
【００２５】
腹側サイドパネル２９Ａと同様に、背側サイドパネル２９Ｂに関しても、接合部列２６Ｌ，２６Ｌどうしの間、及び接合部列２８Ｌ，２８Ｌどうしの間の外側シート２２が外方に向けて膨らむように変形し、且つ、内側シート２３が着用者の身体側に向けて膨らむように変形する。それによって、隣接する接合部列２６Ｌ，２６Ｌどうしの間、及び接合部列２８Ｌ，２８Ｌどうしの間に、外側シート２２及び内側シート２３からなる襞部（図示せず）が生じるとともに中空部（図示せず）が形成される。この襞部（図示せず）及び中空部（図示せず）は、サイドパネル２９Ｂの長手方向Ｘに沿って延びている。
【００２６】
ところで、図２及び図５に示すとおり、腹側サイドパネル２９Ａに形成されている接合部列２５Ｌと接合部列２７Ｌとはいずれも長手方向Ｘに沿って延びているものの、両接合部列２５Ｌ，２７Ｌは同一直線状に存在しておらず、幅方向Ｙに関してずれた状態になっている。その結果、図６に示すとおり、接合部列２５Ｌによって形成される襞部２９ａと、接合部列２７Ｌによって形成される襞部２９ｂとは同一直線状に存在しておらず、両襞部２９ａ，２９ｂは幅方向Ｙに関してずれた状態になっている。換言すれば、腹側サイドパネル２９Ａにおいては、襞部２９ａと襞部２９ｂとは、その長手方向Ｘにおける所定の位置において幅方向Ｙにずれて、長手方向Ｘにわたる連続性が途切れている。本実施形態において、所定の位置は、図５及び図６に示すとおり、接合部列２５Ｌと接合部列２７Ｌとの境界Ｐに位置している。接合部列２５Ｌと接合部列２７Ｌとの境界Ｐは、幅方向Ｙに沿って直線状に延びている。
【００２７】
一方、背側サイドパネル２９Ｂに関しても、図２及び図５に示すとおり、背側サイドパネル２９Ｂに形成されている接合部列２６Ｌと接合部列２８Ｌとはいずれも長手方向Ｘに沿って延びているものの、両接合部列２６Ｌ，２８Ｌは同一直線状に存在しておらず、幅方向Ｙに関してずれた状態になっている。その結果、接合部列２６Ｌによって形成される襞部（図示せず）と、接合部列２８Ｌによって形成される襞部（図示せず）とは同一直線状に存在しておらず、両襞部は幅方向Ｙに関してずれた状態になっている。換言すれば、背側サイドパネル２９Ｂにおいては、両襞部は、その長手方向Ｘにおける所定の位置（図５参照）において幅方向Ｙにずれて、長手方向Ｘにわたる連続性が途切れている。本実施形態において、所定の位置は、図５に示すとおり、接合部列２６Ｌと接合部列２８Ｌとの境界Ｑに位置している。接合部列２６Ｌと接合部列２８Ｌとの境界Ｑは、幅方向Ｙに沿って直線状に延びている。境界Ｑと、上述した境界Ｐとは、おむつ１の長手方向Ｘに沿って見たとき同じ位置にある。そして境界Ｑと境界Ｐとは、幅方向Ｙに沿って延びる同一直線状にある。境界Ｐ及び境界Ｑは、おむつ１の長手方向Ｘに沿って見たときに、サイドシール部Ｓが形成されている範囲内のいずれかに位置することが好ましい。前記の「同じ位置」とは、腹側シート部材２Ａの端縁２ａ２から境界Ｐまでの距離と、背側シート部材２Ｂの端縁２ｂ２から境界Ｑまでの距離とが等しいこと、及び両距離の差が乳幼児用のおむつにおいては１０ｍｍ以内であること、大人用のおむつにおいては２０ｍｍ以内であることを言う。
【００２８】
本実施形態において、境界Ｐ，Ｑを境に長手方向Ｘにわたる襞部の連続性が途切れているとは、襞部の頂部が境界Ｐ，Ｑを境に屈曲していることを言う。境界Ｐ，Ｑを境に長手方向Ｘにわたる襞部の連続性が途切れるようにするためには、接合部列２５Ｌと接合部列２７Ｌとの幅方向Ｙに沿うずれの程度、及び接合部列２６Ｌと接合部列２８Ｌとの幅方向Ｙに沿うずれの程度を、それぞれ独立に１ｍｍ以上２０ｍｍ以下に設定することが好ましく、２ｍｍ以上１５ｍｍ以下に設定することが更に好ましく、３ｍｍ以上１０ｍｍ以下に設定することが一層好ましい。
【００２９】
本実施形態のおむつ１を装着すると、着用者の身体の凹凸に対応した形状に各サイドパネル２９Ａ、２９Ｂが変形する。その変形に伴い、腹側サイドパネル２９Ａ及び背側サイドパネル２９Ｂに形成された長手方向Ｘにわたる襞部も境界Ｐ，Ｑにおいて屈曲する。この際、装着状態における境界Ｐ，Ｑの位置が同じであると図７に示すとおり、境界Ｐ，Ｑにおいて屈曲した箇所が連続するようになる。その結果、おむつ１は、その装着状態においてフィット性が良好になるとともに、良好な装着感を呈するものとなる。この観点から、腹側サイドパネル２９Ａと背側サイドパネル２９Ｂとで、襞部が幅方向Ｙにずれている位置が、おむつ１の装着状態で同じになるようになされていることが好ましい。
【００３０】
境界Ｐ，Ｑの位置は、おむつ１における各サイドパネル２９Ａ、２９Ｂのフィット性等を考慮して適切に決定することができる。例えば図２に示すとおり、各サイドパネル２９Ａ、２９Ｂを、それらの長手方向Ｘに沿って、おむつ１のウエスト開口部ＷＯを含むウエスト領域Ｄ１と、股下部側に位置する股下領域Ｄ２と、両領域間に位置する中間領域Ｄ３とに区分したとき、各サイドパネル２９Ａ，２９Ｂにおいて、長手方向Ｘに延びる複数列の襞部のうちの少なくとも一部が、中間領域Ｄ３において幅方向Ｙにずれて、襞部の長手方向Ｘにわたる連続性が途切れていることが好ましい。各サイドパネル２９Ａ，２９Ｂにおけるウエスト領域Ｄ１と、股下領域Ｄ２と、中間領域Ｄ３との区分は、例えばサイドシール部の下端部から１５％以上８５％以下の範囲を中間領域Ｄ３とすることが好ましく、中間領域Ｄ３よりもウエスト開口部側に位置する領域をウエスト領域Ｄ１とすることが好ましく、中間領域Ｄ３よりも股下部Ｃ側に位置する領域を股下領域Ｄ２とすることが好ましい。
【００３１】
襞部が幅方向Ｙへずれている位置である境界Ｐ，Ｑは、それぞれ独立に、サイドシール部Ｓの長手方向Ｘの長さに対して、サイドシール部の下端から１５％以上離れていることが好ましく、特に２０％以上、とりわけ２５％以上離れていることが好ましい。また境界Ｐ，Ｑは、それぞれ独立に、サイドシール部Ｓの下端から８５％以内であることが好ましく、特に７０％以内、とりわけ６０％以内であることが好ましい。具体的には、境界Ｐ，Ｑはそれぞれ独立に、サイドシール部Ｓの下端から１５％以上８５％以下の範囲にあることが好ましく、特に２０％以上７０％以下、とりわけ２５％以上６０％以下の範囲にあることが好ましい。この範囲内に境界Ｐ，Ｑを設けることで、おむつ１の装着状態でのフィット性が一層高くなり、且つおむつ１が一層良好な装着感を呈するようになる。
【００３２】
腹側サイドパネル２９Ａ及び背側サイドパネル２９Ｂにおいては、それらに形成されている襞部のうちの少なくとも一部が長手方向Ｘにおける所定の位置において幅方向Ｙにずれて、該襞部の長手方向Ｘにわたる連続性が途切れていてもよい。あるいは、おむつ１の装着状態でのフィット性を一層高くし、且つおむつ１の装着感を一層良好にする観点から、腹側サイドパネル２９Ａ及び背側サイドパネル２９Ｂの幅方向Ｙの全域にわたって襞部を形成し、各サイドパネル２９Ａ，２９Ｂの幅方向Ｙの全域にわたって、長手方向Ｘにおける所定の位置において襞部を幅方向Ｙへずらして、該襞部の長手方向Ｘにわたる連続性を途切らせてもよい。
【００３３】
図５に示すとおり、腹側サイドパネル２９Ａにおいては、襞部が幅方向Ｙへずれている位置である境界Ｐを境に、境界Ｐよりもウエスト開口部側に位置する襞部のピッチＬ１と、境界Ｐよりも股下部側に位置する襞部のピッチＬ２とが同じになっている。ピッチが同じとは、ピッチＬ１とピッチＬ２とが等しいこと、及び両ピッチの差が乳幼児用のおむつにおいては２ｍｍ以内であること、大人用のおむつにおいては４ｍｍ以内であることを言う（以下に述べるピッチＬ３とピッチＬ４についても同じ）。背側サイドパネル２９Ｂにおいても同様であり、襞部が幅方向Ｙへずれている位置である境界Ｑを境に、境界Ｑよりもウエスト開口部側に位置する襞部のピッチＬ３と、境界Ｐよりも股下部側に位置する襞部のピッチＬ４とが同じになっている。こうすることで、おむつ１の装着状態でのフィット性が一層高くなり、且つおむつ１が一層良好な装着感を呈するようになる。この場合、ピッチＬ１とピッチＬ３とは同じであってもよく、又は異なっていてもよい。なお、襞部はおむつ１の弛緩状態で生じるものであるところ、図５はおむつ１を引き伸ばした状態を示すものであることから、ピッチＬ１〜Ｌ４は接合部列のピッチを示しており、該ピッチは実際の襞部のピッチと相違する。しかし一般に襞部のピッチは接合部列のピッチと相関していることから、接合部列のピッチに着目して襞部のピッチの説明に代えた。
【００３４】
なお、腹側サイドパネル２９ＡにおけるピッチＬ１及び背側サイドパネル２９ＢにおけるピッチＬ３は、接合部列２５Ｌと接合部列２７Ｌとの幅方向Ｙに沿うずれの程度、及び接合部列２６Ｌと接合部列２８Ｌとの幅方向Ｙに沿うずれの程度が上述した範囲であることを条件として、それぞれ独立に、１ｍｍ以上２０ｍｍ以下であることが好ましく、３ｍｍ以上１５ｍｍ以下であることが更に好ましく、５ｍｍ以上１０ｍｍ以下であることが一層好ましい。
【００３５】
図８ないし図１３には本発明のパンツ型吸収性物品の他の実施形態が示されている。これらの実施形態については、図１ないし図７に示す実施形態と異なる点についてのみ説明し、特に説明しない点については図１ないし図７についての説明が適宜適用される。また図８ないし図１３において、図１ないし図７と同じ部材には同じ符号を付してある。
【００３６】
図１ないし図７に示す実施形態においては、腹側サイドパネル２９Ａ及び背側サイドパネル２９Ｂの双方において長手方向Ｘにわたる襞部の連続性が途切れていたが、これに代えて、腹側サイドパネル２９Ａ及び背側サイドパネル２９Ｂのいずれか一方のみにおいて長手方向Ｘにわたる襞部の連続性を途切らせてもよい。例えば図８に示す実施形態においては、腹側サイドパネル２９Ａにおいては、境界Ｐを境にその上下で襞部の長手方向Ｘにわたる連続性が途切れるように、接合部列２５Ｌの形成位置と、接合部列２７Ｌの形成位置とが幅方向Ｙにずれている。一方、背側サイドパネル２９Ｂにおいては、その長手方向Ｘの全域にわたって接合部列２６Ｌのみが形成されているので、該接合部列２６Ｌによって生じる襞部は、背側サイドパネル２９Ｂの長手方向Ｘの全域にわたって連続性が維持されている。
【００３７】
また図１ないし図７に示す実施形態においては、腹側サイドパネル２９Ａにおいて長手方向Ｘにわたる襞部の連続性が途切れる位置である境界Ｐと、背側サイドパネル２９Ｂにおいて長手方向Ｘにわたる襞部の連続性が途切れる位置である境界Ｑとは、長手方向Ｘに沿って見たときに同じ位置に設けられていたが、これに代えて図９に示すとおり、境界Ｐと境界Ｑとを、長手方向Ｘに沿って見たときに異なる位置に設けてもよい。同図に示す実施形態においては、境界Ｐの方が境界Ｑよりもウエスト開口部側に位置している。この場合、境界Ｐの位置は、サイドシール部Ｓの下端から５％以上７０％以下の範囲にあることが好ましく、１０％以上６０％以下の範囲にあることが更に好ましく、１５％以上５０％以下の範囲にあることが一層好ましい。一方、境界Ｑの位置は、境界Ｐの位置よりも股下部側にあることを条件として、サイドシール部Ｓの下端から１０％以上８０％以下の範囲にあることが好ましく、１５％以上７０％以下の範囲にあることが更に好ましく、２０％以上６０％以下の範囲にあることが一層好ましい。本実施形態は、装着状態でのフィット性が一層高くなり、且つおむつ１が一層良好な装着感を呈する点で好ましいものである。
【００３８】
また図１ないし図７に示す実施形態では、腹側サイドパネル２９Ａ及び背側サイドパネル２９Ｂそれぞれにおいて、長手方向Ｘにわたる襞部の連続性が途切れる位置が１箇所のみ、すなわち境界Ｐ及び境界Ｑのみであったが、襞部の連続性が途切れる位置は複数箇所であってもよい。例えば図１０に示すとおり、腹側サイドパネル２９Ａにおいては、境界Ｐ１及びＰ２を境にその上下で長手方向Ｘにわたる襞部の連続性が途切れるように、接合部列２５Ｌの形成位置と、接合部列２７Ｌの形成位置とが幅方向Ｙにずれている。具体的には、境界Ｐ１を境にその上側に位置する接合部列２５Ｌの形成位置と、その下側に位置する接合部列２７Ｌの形成位置とが幅方向Ｙにずれている。更に境界Ｐ２を境にその上側に位置する接合部列２７Ｌの形成位置と、その下側に位置する接合部列２５Ｌの形成位置とが幅方向Ｙにずれている。
【００３９】
同様に、背側サイドパネル２９Ｂにおいては、境界Ｑ１及びＱ２を境にその上下で長手方向Ｘにわたる襞部の連続性が途切れるように、接合部列２６Ｌの形成位置と、接合部列２８Ｌの形成位置とが幅方向Ｙにずれている。具体的には、境界Ｑ１を境にその上側に位置する接合部列２６Ｌの形成位置と、その下側に位置する接合部列２８Ｌの形成位置とが幅方向Ｙにずれている。更に境界Ｑ２を境にその上側に位置する接合部列２６Ｌの形成位置と、その下側に位置する接合部列２６Ｌの形成位置とが幅方向Ｙにずれている。本実施形態は、装着状態でのフィット性が一層高くなり、且つおむつ１が一層良好な装着感を呈する（おむつ１がより体に沿った形状になる）点で好ましいものである。
【００４０】
図１０に示す実施形態においては、おむつ１を長手方向Ｘに沿って見たときに、腹側サイドパネル２９Ａに形成されている境界Ｐ１と、背側サイドパネル２９Ｂに形成されている境界Ｑ１とは同じ位置にあるが、これに代えて、境界Ｐ１と境界Ｑ１との形成位置を長手方向Ｘにおいて異ならせてもよい。また、腹側サイドパネル２９Ａに形成されている境界Ｐ２と、背側サイドパネル２９Ｂに形成されている境界Ｑ２とは同じ位置にあるが、これに代えて、境界Ｐ２と境界Ｑ２との形成位置を長手方向Ｘにおいて異ならせてもよい。
【００４１】
図１０に示す実施形態においては、境界Ｐ１と境界Ｐ２との間に位置する襞部の長手方向に沿う長さ、及び境界Ｑ１と境界Ｑ２との間に位置する襞部の長手方向に沿う長さは、それぞれ独立に、サイドシール部Ｓの長さに対して５％以上６０％以下であることが好ましく、１０％以上５０％以下であることが更に好ましく、１５％以上４０％以下であることが一層好ましい。
【００４２】
図１１に示す実施形態においては、腹側サイドパネル２９Ａにおいて境界Ｐを境に、境界Ｐよりもウエスト開口部側に位置する接合部列２５ＬのピッチＬ１と、境界Ｐよりも股下部側に位置する接合部列２７ＬのピッチＬ２とが異なっている。詳細には、ピッチＬ１の方がピッチＬ２よりも大きくなっている。その結果、接合部列２５Ｌによって生じる襞部のピッチは、接合部列２７Ｌによって生じる襞部のピッチよりも大きくなっている。
【００４３】
一方、背側サイドパネル２９Ｂにおいては、境界Ｑを境に、境界Ｑよりもウエスト開口部側に位置する接合部列２６ＬのピッチＬ３と、境界Ｑよりも股下部側に位置する接合部列２８ＬのピッチＬ４とが異なっている。詳細には、ピッチＬ３の方がピッチＬ４よりも大きくなっている。その結果、接合部列２６Ｌによって生じる襞部のピッチは、接合部列２８Ｌによって生じる襞部のピッチよりも大きくなっている。
【００４４】
図１１に示す実施形態においては、腹側サイドパネル２９ＡにおけるピッチＬ１と、背側サイドパネル２９ＢにおけるピッチＬ３とは同じであってもよく、あるいは異なっていてもよい。同様に、腹側サイドパネル２９ＡにおけるピッチＬ２と、背側サイドパネル２９ＢにおけるピッチＬ４とは同じであってもよく、あるいは異なっていてもよい。
【００４５】
図１２に示す実施形態は、腹側サイドパネル２９Ａ及び背側サイドパネル２９Ｂの幅方向Ｙの全域にわたって襞部が形成されておらず、サイドシール部Ｓの近傍に襞部非形成領域を有している。詳細には、腹側サイドパネル２９Ａにおいては、境界Ｐを境にそれよりもウエスト開口部側に襞部非形成領域Ｍ１が形成されているとともに、境界Ｐよりも股下部側に襞部非形成領域Ｍ２が形成されている。一方、背側サイドパネル２９Ｂにおいては、境界Ｑを境にそれよりもウエスト開口部側に襞部非形成領域Ｍ３が形成されているとともに、境界Ｑよりも股下部側に襞部非形成領域Ｍ４が形成されている。各襞部非形成領域Ｍ１−Ｍ４は、サイドシール部Ｓと接している。各襞部非形成領域Ｍ１−Ｍ４は、例えば該領域Ｍ１−Ｍ４に弾性部材２４を配置せず、且つ外側シート２２と内側シート２３とをそれらの対向面の全域で接合することによって形成することができる。
【００４６】
図１３に示す実施形態においては、腹側サイドパネル２９Ａ及び背側サイドパネル２９Ｂの双方が、それらの幅方向Ｙにわたって、襞部が形成されていない襞部非形成帯Ｚ１，Ｚ２を有している。襞部非形成帯Ｚ１，Ｚ２は、長さ及び幅を有する矩形の横長の領域である。襞部非形成帯Ｚ１，Ｚ２は、腹側サイドパネル２９Ａ及び背側サイドパネル２９Ｂの幅方向Ｙの全域にわたって形成されている。そして腹側サイドパネル２９Ａ及び背側サイドパネル２９Ｂにおいては、襞部非形成帯Ｚ１，Ｚ２を境に、それよりもウエスト開口部側に位置する接合部列２５Ｌ，２６Ｌに対して、それよりも股下部側に位置する接合部列２７Ｌ，２８Ｌが幅方向Ｙにずれて、接合部列の長手方向Ｘにわたる連続性が途切れている。その結果、腹側サイドパネル２９Ａ及び背側サイドパネル２９Ｂにおいては、襞部非形成帯Ｚ１，Ｚ２を境に、それよりもウエスト開口部側に位置する襞部に対して、それよりも股下部側に位置する襞部が幅方向にずれて、該襞部の長手方向Ｘにわたる連続性が途切れている。本実施形態において、襞部の長手方向Ｘにわたる連続性が途切れているとは、襞部の頂部が、襞部非形成帯Ｚ１，Ｚ２を境に繋がっていないことを言う。
【００４７】
本実施形態によれば、襞部に起因する長手方向Ｘに沿う通気性が確保されることに加えて、襞部非形成帯Ｚ１，Ｚ２に起因する幅方向Ｙに沿う通気性も確保され、おむつが一層蒸れにくくなるという利点がある。また、襞部非形成帯Ｚ１，Ｚ２の位置に指を掛けることが容易になることで、おむつの引き上げ動作を円滑に行うことができるという利点もある。この利点を一層顕著なものとする観点から、襞部非形成帯Ｚ１，Ｚ２の長手方向Ｘに沿う長さは、サイドシール部Ｓの長手方向に沿う長さに対して、それぞれ独立に３％以上であることが好ましく、５％以上であることが更に好ましく、７％以上であることが一層好ましい。また、襞部非形成帯Ｚ１，Ｚ２の長手方向Ｘに沿う長さは、サイドシール部Ｓの長手方向に沿う長さに対して、それぞれ独立に５０％以下であることが好ましく、２５％以下であることが更に好ましく、２０％以下であることが一層好ましい。具体的には、襞部非形成帯Ｚ１，Ｚ２の長手方向Ｘに沿う長さは、サイドシール部Ｓの長手方向に沿う長さに対して、それぞれ独立に３％以上５０％以下であることが好ましく、５％以上２５％以下であることが更に好ましく、７％以上２０％以下であることが一層好ましい。
【００４８】
本実施形態において、内側シート２３に伸縮性シートを用い、且つ外側シート２２に非伸縮性シートを用いた場合には、外側シート２２のみに襞部が形成するので通気性及び襞部非形成帯Ｚ１，Ｚ２における指の引っ掛けやすさが向上するので好ましい。
【００４９】
襞部非形成帯Ｚ１，Ｚ２の形成位置は、おむつの長手方向Ｘに沿って見たときに、上述した中間領域Ｄ３に形成されていることが、おむつのフィット性を高める点から好ましい。特におむつを着用した状態において、着用者の腸骨稜から上前腸骨棘にかけての部位に当接する領域に襞部非形成帯Ｚ１，Ｚ２が形成されていることが好ましい。
【００５０】
各サイドパネル２９Ａ，２９Ｂは、襞部非形成帯Ｚ１，Ｚ２以外の領域において、各サイドパネル２９Ａ，２９Ｂを構成する外側シート２２と内側シート２３との間に、幅方向Ｙに延びる複数本の弾性部材２４を有するとともに、襞部非形成帯Ｚ１，Ｚ２においては弾性部材２４を非配置とすることが好ましい。このようにすることで、襞部非形成帯Ｚ１，Ｚ２によるおむつのフィット性及び装着感が一層向上するので好ましい。
【００５１】
以上、本発明をその好ましい実施形態に基づき説明したが、本発明は前記実施形態に制限されない。例えば前記実施形態のおむつは、腹側部Ａを構成するシート部材と、背側部Ｂを構成するシート部材が別材であり、吸収性本体３が両シート部材間に架け渡されるように配置されていたが、これに代えて、吸収性本体の外面側に、腹側部から背側部にわたる単一のシート部材を配置してもよい。
【００５２】
また前記実施形態においては、背側部Ｂに背側延出部２１ｂが形成されていたが、該背側延出部２１ｂを形成しなくてもよい。
【００５３】
また前記実施形態は使い捨てパンツ型使い捨ておむつに係るものであったが、これに代えて使い捨て生理用ショーツ等の他のパンツ型吸収性物品に本発明を適用してもよい。
【００５４】
また前記実施形態においては、外側シート２２及び内側シート２３の双方が外方に膨らんで襞部を形成したが、これに代えて、外側シート２２及び内側シート２３のうちの一方のみが外方に膨らんで襞部を形成してもよい。あるいは外側シート２２及び内側シート２３の双方が一体的に波形に変形して襞部を形成してもよい。
【００５５】
また前記実施形態においては、外側シート及び内側シートは、サイドパネルの長手方向Ｘ及び幅方向Ｙに沿って間欠的に形成された接合部において接合されており、弾性部材は、該接合部を通らないように配されており且つその両端部において両シートに固定されていたが、これに代えて、外側シート及び内側シートを、サイドパネルの長手方向Ｘに沿って連続し且つ幅方向Ｙに沿って間欠的に形成された複数条の接合部において接合し、弾性部材が、該接合部と交差するように両シートに固定する実施形態を採用してもよい。いずれの実施形態を採用する場合であっても、外側シート及び内側シートは、少なくとも、サイドパネルの幅方向に沿って間欠的に形成された接合部において接合されることで、外側シート及び内側シートそれぞれが、複数本の弾性部材にわたって連続して延びる複数列の襞部を形成することが好ましい。
【００５６】
上述した実施形態に関し、本発明は更に以下のパンツ型吸収性物品を開示する。
＜１＞
着用者の腹側に配される腹側部と、着用者の背側に配される背側部と、吸収性本体とを具備し、該腹側部と該背側部の両側縁部に、該腹側部と該背側部とが接合されて形成された一対のサイドシール部を有するパンツ型吸収性物品であって、
前記腹側部及び前記背側部はそれぞれ、前記吸収性本体の各側縁上を通る長手方向に延びる仮想線よりも幅方向外方へ延出したサイドパネルを有し、
前記サイドパネルは外側シート及び内側シートを備えた複合シートを有し、該複合シートは幅方向に伸縮可能になっているとともに、長手方向に延びる襞部を幅方向に複数列有し、
前記腹側部及び前記背側部の少なくとも一方の前記サイドパネルにおいては、長手方向に延びる複数列の前記襞部のうちの少なくとも一部が、長手方向における所定の位置において幅方向にずれている、パンツ型吸収性物品。
【００５７】
＜２＞
前記サイドパネルは、その長手方向に沿って、前記物品のウエスト開口部を含むウエスト領域と、股下部側に位置する股下領域と、両領域間に位置する中間領域とに区分され、
前記腹側部及び前記背側部の少なくとも一方の前記サイドパネルにおいて、長手方向に延びる複数列の前記襞部のうちの少なくとも一部が、前記中間領域において幅方向にずれている、前記＜１＞に記載のパンツ型吸収性物品。
＜３＞
前記襞部が幅方向へずれている前記位置が、前記サイドシール部の長手方向の長さに対して、該サイドシール部の下端から１５％以上８５％以下の範囲にある前記＜１＞又は＜２＞に記載のパンツ型吸収性物品。
＜４＞
前記サイドパネルはその幅方向の全域にわたって前記襞部を有し、
前記サイドパネルの幅方向の全域にわたって、前記位置において前記襞部が幅方向へずれている前記＜１＞ないし＜３＞のいずれか１に記載のパンツ型吸収性物品。
＜５＞
前記襞部が幅方向へずれている前記位置を境に、該位置よりもウエスト開口部側に位置する襞部のピッチと、該位置よりも股下部側に位置する襞部のピッチとが同じになっている前記＜１＞ないし＜４＞のいずれか１に記載のパンツ型吸収性物品。
＜６＞
前記サイドパネルは、その幅方向にわたって、前記襞部が形成されていない襞部非形成帯を有し、
前記襞部非形成帯を境に、それよりもウエスト開口部側に位置する襞部に対して、それよりも股下部側に位置する襞部が幅方向にずれている前記＜１＞ないし＜５＞のいずれか１に記載のパンツ型吸収性物品。
【００５８】
＜７＞
前記襞部非形成帯の長手方向に沿う長さは、前記サイドシール部の長手方向に沿う長さに対して、３％以上であることが好ましく、５％以上であることが更に好ましく、７％以上であることが一層好ましく、
前記襞部非形成帯の長手方向に沿う長さは、前記サイドシール部の長手方向に沿う長さに対して、５０％以下であることが好ましく、２５％以下であることが更に好ましく、２０％以下であることが一層好ましい前記＜６＞に記載のパンツ型吸収性物品。
＜８＞
前記サイドパネルは、前記襞部非形成帯以外の領域において、該サイドパネルを構成する前記外側シートと前記内側シートとの間に、幅方向に延びる複数本の弾性部材を有する前記＜６＞又は＜７＞に記載のパンツ型吸収性物品。
【００５９】
＜９＞
前記サイドパネルが、前記外側シートと、前記内側シートと、両シート間に配された幅方向に延びる複数本の弾性部材とを備え、
前記外側シート及び前記内側シートは、前記サイドパネルの幅方向に沿って間欠的に形成された接合部において接合されており、
前記外側シート及び前記内側シートそれぞれが、複数本の前記弾性部材にわたって連続して延びる複数列の前記襞部を形成している前記＜１＞ないし＜８＞のいずれか１に記載のパンツ型吸収性物品。
＜１０＞
前記外側シート及び前記内側シートは、前記サイドパネルの長手方向及び幅方向に沿って間欠的に形成された接合部において接合されており、
前記弾性部材は、前記接合部を通らないように伸長状態で配されており且つその両端部において両シートに固定されているとともに該両端部間の領域において前記外側シート及び前記内側シートのいずれにも非接合状態になっている前記＜１＞ないし＜９＞のいずれか１に記載のパンツ型吸収性物品。
＜１１＞
前記外側シートが外方に向けて膨らむように変形し、且つ、前記内側シートが着用者の身体側に向けて膨らむように変形して、該外側シート及び該内側シートからなる襞部がそれぞれ生じており、
前記外側シートと前記内側シートとの間に、前記襞部に周囲を囲まれた中空部が形成されている前記＜１０＞に記載のパンツ型吸収性物品。
＜１２＞
前記腹側部のサイドパネルにおける前記襞部の幅方向に沿うずれの程度を１ｍｍ以上２０ｍｍ以下に設定することが好ましく、２ｍｍ以上１５ｍｍ以下に設定することが更に好ましく、３ｍｍ以上１０ｍｍ以下に設定することが一層好ましい前記＜１＞ないし＜１１＞のいずれか１に記載のパンツ型吸収性物品。
＜１３＞
前記背側部のサイドパネルにおける前記襞部の幅方向に沿うずれの程度を１ｍｍ以上２０ｍｍ以下に設定することが好ましく、２ｍｍ以上１５ｍｍ以下に設定することが更に好ましく、３ｍｍ以上１０ｍｍ以下に設定することが一層好ましい前記＜１＞ないし＜１２＞のいずれか１に記載のパンツ型吸収性物品。
＜１４＞
前記サイドパネルは、その長手方向に沿って、前記物品のウエスト開口部を含むウエスト領域と、股下部側に位置する股下領域と、両領域間に位置する中間領域とに区分され、
前記腹側部及び前記背側部の前記サイドパネルにおいて、長手方向に延びる複数列の前記襞部のうちの少なくとも一部が、前記中間領域において幅方向にずれている、前記＜１＞ないし＜１３＞のいずれか１に記載のパンツ型吸収性物品。
【００６０】
＜１５＞
前記腹側部のサイドパネルにおける前記襞部が幅方向へずれている前記位置である境界Ｐ、及び前記背側部のサイドパネルにおける前記襞部が幅方向へずれている前記位置である境界Ｑは、それぞれ独立に、前記サイドシール部の長手方向の長さに対して、該サイドシール部の下端から１５％以上離れていることが好ましく、特に２０％以上、とりわけ２５％以上離れていることが好ましく、
前記境界Ｐ，Ｑは、それぞれ独立に、前記サイドシール部の下端から８５％以内であることが好ましく、特に７０％以内、とりわけ６０％以内であることが好ましい前記＜１＞ないし＜１４＞のいずれか１に記載のパンツ型吸収性物品。
＜１６＞
境界Ｑの位置が、境界Ｐの位置よりも股下部側にある前記＜１５＞に記載のパンツ型吸収性物品。
＜１７＞
前記腹側部の前記サイドパネルと前記背側部の前記サイドパネルとで、前記襞部が幅方向にずれている位置が、前記物品の装着状態で同じになるようになされている前記＜１＞ないし＜１５＞のいずれか１に記載のパンツ型吸収性物品。
＜１８＞
前記腹側部を構成する腹側シート部材及び前記背側部を構成する背側シート部材を有しており、
前記背側シート部材の方が、前記腹側シート部材よりも、長手方向の長さが長くなっている前記＜１＞ないし＜１７＞のいずれか１に記載のパンツ型吸収性物品。
＜１９＞
前記外側シート及び前記内側シートはそれぞれ独立に非伸縮性シートからなる前記＜１＞ないし＜１８＞のいずれか１に記載のパンツ型吸収性物品。
＜２０＞
前記外側シート及び前記内側シートのうちのいずれか一方が伸縮性シートからなる前記＜１＞ないし＜１８＞のいずれか１に記載のパンツ型吸収性物品。
【００６１】
＜２１＞
前記外側シートが伸縮性シートからなり、前記内側シートが非伸縮性シートからなる前記＜１＞ないし＜１８＞のいずれか１に記載のパンツ型吸収性物品。
＜２２＞
長手方向にわたる前記襞部の連続性が途切れる位置が複数箇所である前記＜１＞ないし＜２１＞のいずれか１に記載のパンツ型吸収性物品。
＜２３＞
前記腹側サイドパネルにおいては、境界Ｐ１及びＰ２を境にその上下で長手方向にわたる前記襞部の連続性が途切れており、
前記背側サイドパネルにおいては、境界Ｑ１及びＱ２を境にその上下で長手方向にわたる前記襞部の連続性が途切れており、
境界Ｐ１と境界Ｐ２との間に位置する前記襞部の長手方向に沿う長さ、及び境界Ｑ１と境界Ｑ２との間に位置する前記襞部の長手方向に沿う長さは、それぞれ独立に、前記サイドシール部の長さに対して５％以上６０％以下であることが好ましく、１０％以上５０％以下であることが更に好ましく、１５％以上４０％以下であることが一層好ましい前記＜２２＞に記載のパンツ型吸収性物品。
【産業上の利用可能性】
【００６２】
以上、詳述したとおり本発明によれば、装着状態でのフィット性が高く、且つ良好な装着感を呈するパンツ型吸収性物品が提供される。
【図１】
2019043885.tif 000003
【図２】
2019043885.tif 000004
【図３】
2019043885.tif 000005
【図４】
2019043885.tif 000006
【図５】
2019043885.tif 000007
【図６】
2019043885.tif 000008
【図７】
2019043885.tif 000009
【図８】
2019043885.tif 000010
【図９】
2019043885.tif 000011
【図１０】
2019043885.tif 000012
【図１１】
2019043885.tif 000013
【図１２】
2019043885.tif 000014
【図１３】
2019043885.tif 000015
【手続補正書】
【提出日】令和2年6月4日(2020.6.4)
【手続補正１】
【補正対象書類名】明細書
【補正対象項目名】００１９
【補正方法】変更
【補正の内容】
【００１９】
同様に、背側サイドパネル２９Ｂにおいても、外側シート２２及び内側シート２３は、該サイドパネル２９Ｂの長手方向Ｘ及び幅方向Ｙに沿って間欠的に形成された接合部２６，２８において接合されている。弾性部材２４は、接合部２６，２８を通らないように配されている。また弾性部材２４は、幅方向Ｙの両端部間の領域において外側シート２２及び内側シート２３のいずれにも非接合状態になっており、幅方向Ｙの両端部においてのみ外側シート２２及び内側シート２３と固定されている。
【手続補正２】
【補正対象書類名】明細書
【補正対象項目名】００３９
【補正方法】変更
【補正の内容】
【００３９】
同様に、背側サイドパネル２９Ｂにおいては、境界Ｑ１及びＱ２を境にその上下で長手方向Ｘにわたる襞部の連続性が途切れるように、接合部列２６Ｌの形成位置と、接合部列２８Ｌの形成位置とが幅方向Ｙにずれている。具体的には、境界Ｑ１を境にその上側に位置する接合部列２６Ｌの形成位置と、その下側に位置する接合部列２８Ｌの形成位置とが幅方向Ｙにずれている。更に境界Ｑ２を境にその上側に位置する接合部列２８Ｌの形成位置と、その下側に位置する接合部列２６Ｌの形成位置とが幅方向Ｙにずれている。本実施形態は、装着状態でのフィット性が一層高くなり、且つおむつ１が一層良好な装着感を呈する（おむつ１がより体に沿った形状になる）点で好ましいものである。
【手続補正３】
【補正対象書類名】明細書
【補正対象項目名】００５３
【補正方法】変更
【補正の内容】
【００５３】
また前記実施形態はパンツ型使い捨ておむつに係るものであったが、これに代えて使い捨て生理用ショーツ等の他のパンツ型吸収性物品に本発明を適用してもよい。
【国際調査報告】
2019043885.tif 000016
2019043885.tif 000017
2019043885.tif 000018
2019043885.tif 000019